(57)【要約】【課題】  中継装置に特定の通信事業者コードを設定する構成に加えて、自動的に任意の通信事業者コードおよび基地局ＩＤを捕捉する機能を設けた中継装置を提供する。【解決手段】  中継装置２０は、受信器２３と、送信器２５と、アンテナ２２と、制御チャネル信号をスキャンする設定情報と、通信事業者を識別するための設定情報を記憶した設定メモリ２７と、制御チャネル信号に含まれる基地局ＩＤを捕捉する捕捉制御部２９ａを有する制御部２９とを備えている。制御部２９は、設定メモリ２７の設定情報に基づいて中継装置が受信可能な制御チャネル信号をスキャンし、捕捉制御部２９ａは設定メモリ２７の設定に基づいて、制御チャネル情報から特定の１通信事業者の制御チャネル信号を識別して基地局を捕捉するか、または、任意の通信事業者の制御チャネル信号を識別して基地局を捕捉し、そのＩＤを登録メモリ２８に登録する。【選択図】      図１
2005079944.tif 000002
【特許請求の範囲】
【請求項１】
移動体通信端末と基地局との間の信号の送受信を制御する制御部を備えた中継装置であって、
該中継装置は、基地局および／または移動体通信端末からの信号を受信する受信器と、基地局および／または移動体通信端末への信号を送信する送信器と、アンテナと、基地局からの制御チャネル信号をスキャンするための設定情報と、所定の通信事業者の基地局からの制御チャネル信号を識別するための設定情報を記憶した設定メモリと、制御チャネル信号に含まれる基地局ＩＤを捕捉するための捕捉制御部を有する制御部とを備え、
前記制御部は、前記設定メモリの設定に基づいて中継装置が受信可能な制御チャネル信号をスキャンし、
前記捕捉制御部は前記設定メモリの設定に基づいて、前記スキャンした制御チャネル情報から特定の１通信事業者の制御チャネル信号を識別して該制御チャネル信号に含まれる基地局を捕捉するか、または、任意の通信事業者の制御チャネル信号を識別して該制御チャネル信号に含まれる基地局を捕捉してそのＩＤを登録メモリに登録し、
前記制御部は登録メモリに登録された基地局と、移動体通信端末との間の信号の中継を行うように構成したことを特徴とする中継装置。
【請求項２】
前記特定の通信事業者の制御チャネル信号、または、任意の通信事業者の制御チャネル信号を識別するための設定情報として、マスクパターンおよび／または通信事業者コードを設定したことを特徴とする請求項１に記載の中継装置。
【請求項３】
特定の通信事業者の制御チャネル信号を識別する場合、前記マスクパターンを全ビット「１」とし、該特定の通信事業者コードを前記設定メモリに設定したことを特徴とする請求項２に記載の中継装置。
【請求項４】
任意の通信事業者の制御チャネル信号を識別する場合、前記マスクパターンを全ビット「０」とし、通信事業者コードを全ビット「０」として前記設定メモリに設定したことを特徴とする請求項２に記載の中継装置。
【請求項５】
前記制御チャネル信号をスキャンするための情報は、スキャンを開始する制御チャネル信号の周波数と、スキャン範囲を指定する情報またはスキャンを終了する制御チャネル信号の周波数であることを特徴とする請求項１に記載の中継装置。
【請求項６】
前記捕捉制御部は、更に、前記スキャンした制御チャネル信号の受信レベルを判定するレベル判定部を備え、前記制御チャネル信号のレベルが所定の条件を満足する際に前記基地局を捕捉することを特徴とする請求項１に記載の中継装置。
【請求項７】
前記捕捉制御部はモード切替部を備え、前記設定メモリには特定の通信事業者コードを設定してなり、
前記制御部は、前記設定メモリの設定に基づいて中継装置が受信可能な制御チャネル信号をスキャンし、
前記捕捉制御部は、前記モード切替部により、前記設定メモリに設定された通信事業者コードに基づいて前記スキャンした制御チャネル情報から特定の１通信事業者の制御チャネル信号を識別して該制御チャネル信号に含まれる基地局を捕捉するか、または、任意の通信事業者の制御チャネル信号を識別して該制御チャネル信号に含まれる基地局を捕捉するかを切替るようになしたことを特徴とする請求項１に記載の中継装置。
【請求項８】
前記制御部は、受信器および送信器を時分割で、移動体通信基地局から移動体通信端末への信号の受信および送信と、移動体通信端末から移動体通信基地局への信号の受信および送信とを行うようになしたことを特徴とする請求項１〜７の何れか１項に記載の中継装置。
【請求項９】
前記中継装置は第１のアンテナと第２のアンテナを備え、前記受信器は、基地局からの信号を受信する第１の受信器と、移動体通信端末からの信号を受信する第２の受信器とからなり、前記送信器は基地局への信号を送信する第１の送信器と、移動体通信端末への信号を送信する第２の送信器とからなり、第１の受信器と第１の送信器を第１のスイッチを介して第１のアンテナに接続し、第２の受信器と第２の送信器を第２のスイッチを介して第２のアンテナに接続したことを特徴とする請求項１に記載の中継装置。
【発明の詳細な説明】
【技術分野】
【０００１】
本発明は、携帯電話システム、パーソナル・ハンディフォン・システム（以下、ＰＨＳと略す）、あるいは携帯データ通信システム等の、いわゆる移動体通信用の中継装置に関するものであり、特に、制御チャネル情報に含まれる通信事業者識別符号（通信事業者コード）および基地局（ＣＳ）ＩＤの自動スキャンニング機能を備えた移動体通信用の中継装置に関するものである。
【背景技術】
【０００２】
近年のデジタル通信技術の発展により、携帯電話、ＰＨＳ、携帯情報端末の利用が飛躍的に増大してきている。一般に移動体通信は、移動体通信用の基地局と移動体通信端末との間で電波を利用した無線通信を行っている。
【０００３】
例えば、ＰＨＳは、図７に示すように、通話サービスエリアを多数のマイクロセル４に区分けし、各マイクロセル４にＰＨＳ端末３との間で電波を送受信する基地局１が設置されており、基地局１、ＰＨＳ用接続装置５、交換機６、７等は専用線あるいは公衆線網など適宜の回線網によって接続されている。
【０００４】
ここで、基地局１とＰＨＳ端末３との間の無線通信は、（財）電波システム開発センターによって制定されたＲＣＲ  ＳＴＤ−２８によって行われている。ＰＨＳでは、広範囲の通話サービスエリアを確保するために、半径１００〜３００ｍの小さなマイクロセルをカバーする基地局を多数設置していた。ＰＨＳでは、基地局の電波が携帯電話に比べて小さいので、各基地局のカバーする範囲が狭くなっている。したがって、ＰＨＳ端末の送信電力も携帯電話に比べて１０ｍＷと低く設定されており、ＰＨＳ端末の小型化、電池の長寿命化を図ることができた。
【０００５】
ＰＨＳや携帯電話システムにおいて、電波は障害物を通過しにくいため、従来は、利用者が電波の到達しにくい環境にいる場合には、使用できないことが多かった。例えば、携帯電話の場合には、利用者がビルの内部にいる場合には、電波がコンクリート壁などに阻まれるため通話できない状態になる。従って、利用者が電波の到達しにくい環境や、電波の弱くなる距離にいる場合には、利用者が自分の位置を変えて、電波が十分に届く場所に移動して回線を確保する必要があった。
【０００６】
このようにＰＨＳや携帯電話システムでは、電波の到達範囲が限られるために、移動体通信端末の使用可能な場所が制限され、任意の場所で移動体通信を使用できない場合があり、このことは利用者にとって非常に不便なことであった。
【０００７】
この不便さを解消するために、例えば、ＰＨＳにおいては、下記の特許文献１に開示されるように、エリア内にリピータと称する中継装置を設置する技術が開示されている。特許文献１に開示された中継装置は、図８に示すように、移動通信局（移動体通信端末）と基地局との間を中継接続するものであって、周辺の複数の基地局が放送する制御チャネル信号をサーチするサーチユニット１７ａを備え、各基地局の放送する制御チャネル信号をそれぞれ受信して、この制御チャネル信号に含まれる基地局の識別情報（ＩＤ）、受信レベル、および空きチャネル情報を取得する情報取得ユニット１７ｂと、前記各基地局の識別情報、前記受信レベル、および前記空きチャネル情報（空きの通話スロット数）を基地局ごとに格納するメモリ１５と、前記受信レベルおよび前記空きチャネル情報に基づいて、接続対象の基地局を選択する選択ユニット１７ｃと、この選択ユニット１７ｃにより選択された基地局と前記移動体端末との間を接続する接続ユニット１７ｄとから構成されるものである。
【０００８】
この中継装置においては、移動体通信端末が放送している信号が、アンテナ１１ｂに受信されて、無線ユニット１２ｂに入力される。この信号によって、中継装置は、移動体通信端末と基地局とをリンクするためのリンクチャネル確立要求を受ける。そして中継装置は基地局の空きチャネル情報から通話可能（中継可能）な空きチャネルを有する基地局を選択してリンクチャネル確立要求を送出することによって中継すべき基地局の決定を短時間で行うようにしたものである。
【０００９】
【特許文献１】特開２００２−２７１２５６号公報（図２、図７）
【発明の開示】
【発明が解決しようとする課題】
【００１０】
ところで、上記特許文献１に開示されるような中継装置は、各通信事業者がインフラの一環として適宜設置し、あるいは特定の通信事業者のサービスに加入している移動体通信端末の所有者が、通信事業者あるいはその販売代理店を介して購入し、自身の利用のために家屋内あるいはビル内等に設置するものであって、設置もしくは購入の際、中継装置には該当通信事業者の識別符号（通信事業者コード）が不揮発性メモリに書き込まれ、当該通信事業者コードに合致する信号のみを中継するように構成されている。これは各通信事業者のサービスに加入する加入者が通信事業者等から購入する移動体通信端末と同様である。
【００１１】
日本国内においては、同一の地域内に複数の通信事業者がそれぞれのインフラを設置し、あるいは他の通信事業者が設置した既存のインフラを借り受けてサービスしており、中継装置も同一の地域内に、それぞれの通信事業者の加入者間における通信を中継するために設置されることになる。このため、上記のように中継装置や移動体通信端末には該当する通信事業者の事業者コードが書き込まれるのである。従って、上記特許文献１に開示された中継装置においても、該中継装置は特定通信事業者の基地局の配下で中継動作を行うものであって、サーチする周辺の基地局の制御チャネル信号も、中継装置に設定された通信事業者コードに基づいて受信信号を選別するものである。
【００１２】
一方、国によっては、地域毎に通信サービスを提供する通信事業者が１つに固定されている場合もあるが、このようなサービス形態であっても、中継装置にはどの地域に設置されてもよいように通信事業者コードの書き込みが必要になる。
【００１３】
すなわち、装置メーカーが中継装置を通信事業者に納入する場合、あるいは、通信事業者の販売代理店が中継装置を利用者に販売する場合には、該当する通信事業者コードを中継装置１台毎に個別に書き込み作業を行う必要がある。この書き込み作業は一般的には書込み装置を用いて中継装置内の不揮発性メモリ（ＥＰＲＯＭ等）に通信事業者コードを書き込むことによって行われる。通信事業者コードが書き込まれた中継装置は、基地局あるいは移動体端末からの通信情報の制御チャネル情報中に含まれる通信事業者コードと不揮発性メモリに書き込まれた通信事業者コードを対比し、該当する通信事業者コードを有する通信情報のみを中継するように制御している。
【００１４】
この中継装置は、電波の届きにくい場所に設置されるものであって、設置数は極めて大量にのぼるものであり、通信事業者コードの書き込み作業は装置メーカーや販売代理店にとって手間のかかる作業となり、また、書き込み作業コストが製品価格に影響するという問題があった。
【００１５】
本願の発明者は上記の課題を解消すべく種々検討を重ねた結果、周辺の各基地局から送信される制御チャネル情報に含まれる通信事業者識別符号（通信事業者コード）および基地局（ＣＳ）ＩＤを自動的にスキャンするスキャンニング機能を中継装置に付加することによって、中継装置の設置場所によって周辺の基地局から送信される制御チャネル信号をスキャンし、当該設置地域でサービスしている通信事業者コード、基地局ＩＤを捕捉するようになせば、通信事業者コードの書き込み作業を軽減することができることを見出し、本発明を完成するに至ったものである。
【００１６】
すなわち、本発明は前記の課題を解決することを目的とし、中継装置に特定の通信事業者コードを設定する構成に加えて、自動的に任意の通信事業者コードおよび基地局ＩＤを捕捉する機能を設けた中継装置を提供することを目的とするものである。
【課題を解決するための手段】
【００１７】
前記課題を解決するために、本願の請求項１に係る発明は、移動体通信端末と基地局との間の信号の送受信を制御する制御部を備えた中継装置であって、
該中継装置は、基地局および／または移動体通信端末からの信号を受信する受信器と、基地局および／または移動体通信端末への信号を送信する送信器と、アンテナと、基地局からの制御チャネル信号をスキャンするための設定情報と、所定の通信事業者の基地局からの制御チャネル信号を識別するための設定情報を記憶した設定メモリと、制御チャネル信号に含まれる基地局ＩＤを捕捉するための捕捉制御部を有する制御部とを備え、
前記制御部は、前記設定メモリの設定に基づいて中継装置が受信可能な制御チャネル信号をスキャンし、
前記捕捉制御部は前記設定メモリの設定に基づいて、前記スキャンした制御チャネル情報から特定の１通信事業者の制御チャネル信号を識別して該制御チャネル信号に含まれる基地局を捕捉するか、または、任意の通信事業者の制御チャネル信号を識別して該制御チャネル信号に含まれる基地局を捕捉してそのＩＤを登録メモリに登録し、
前記制御部は登録メモリに登録された基地局と移動体通信端末との間の信号の中継を行うように構成したことを特徴とする。
【００１８】
また、本願の請求項２に係る発明は、請求項１の中継装置において、前記特定の通信事業者の制御チャネル信号、または、任意の通信事業者の制御チャネル信号を識別するための設定情報は、マスクパターンおよび／または通信事業者コードを設定したことを特徴とする。
【００１９】
また、本願の請求項３に係る発明は、請求項２の中継装置において、特定の通信事業者の制御チャネル信号を識別する場合、前記マスクパターンを全ビット「１」とし、該特定の通信事業者コードを前記設定メモリに設定したことを特徴とする。
【００２０】
また、本願の請求項４に係る発明は、請求項２の中継装置において、任意の通信事業者の制御チャネル信号を識別する場合、前記マスクパターンを全ビット「０」とし、通信事業者コードを全ビット「０」として前記設定メモリに設定したことを特徴とする。
【００２１】
また、本願の請求項５に係る発明は、請求項１の中継装置において、前記制御チャネル信号をスキャンするための情報は、スキャンを開始する制御チャネル信号の周波数と、スキャン範囲を指定する情報またはスキャンを終了する制御チャネル信号の周波数であることを特徴とする。
【００２２】
また、本願の請求項６に係る発明は、請求項１の中継装置において、前記捕捉制御部は、更に、前記スキャンした制御チャネル信号の受信レベルを判定するレベル判定部を備え、前記制御チャネル信号のレベルが所定の条件を満足する際に前記基地局を捕捉することを特徴とする。
【００２３】
また、本願の請求項７に係る発明は、請求項１の中継装置において、前記捕捉制御部はモード切替部を備え、前記設定メモリには特定の通信事業者コードを設定してなり、
前記制御部は、前記設定メモリの設定に基づいて中継装置が受信可能な制御チャネル信号をスキャンし、
前記捕捉制御部は、前記モード切替部により、前記設定メモリに設定された通信事業者コードに基づいて前記スキャンした制御チャネル情報から特定の１通信事業者の制御チャネル信号を識別して該制御チャネル信号に含まれる基地局を捕捉するか、または、任意の通信事業者の制御チャネル信号を識別して該制御チャネル信号に含まれる基地局を捕捉するかを切替るようになしたことを特徴とする。
【００２４】
また、本願の請求項８に係る発明は、請求項１〜７の何れかに記載の中継装置において、前記制御部は、受信器および送信器を時分割で、移動体通信基地局から移動体通信端末への信号の受信および送信と、移動体通信端末から移動体通信基地局への信号の受信および送信とを行うようになしたことを特徴とする。
【００２５】
また、本願の請求項９に係る発明は、請求項１の中継装置において、該中継装置は第１のアンテナと第２のアンテナを備え、前記受信器は、基地局からの信号を受信する第１の受信器と、移動体通信端末からの信号を受信する第２の受信器とからなり、前記送信器は基地局への信号を送信する第１の送信器と、移動体通信端末への信号を送信する第２の送信器とからなり、第１の受信器と第１の送信器を第１のスイッチを介して第１のアンテナに接続し、第２の受信器と第２の送信器を第２のスイッチを介して第２のアンテナに接続したことを特徴とする。
【発明の効果】
【００２６】
請求項１に係る発明において、中継装置は、設定メモリに基地局からの制御チャネル信号をスキャンするための設定情報と、所定の通信事業者の基地局からの制御チャネル信号を識別するための設定情報を記憶し、この設定情報に基づいて中継装置が受信可能な制御チャネル信号をスキャンし、捕捉制御部が制御チャネル情報から特定の１通信事業者の制御チャネル信号を識別して該制御チャネル信号に含まれる基地局を捕捉するか、または、任意の通信事業者の制御チャネル信号を識別して該制御チャネル信号に含まれる基地局を捕捉してそのＩＤを登録メモリに登録し、登録された基地局との間で中継動作を行うものである。
【００２７】
従って、中継装置を設置した場所で、設定メモリに設定した情報に基づいて、スキャンした制御チャネル情報から特定の１通信事業者の制御チャネル信号を識別して該制御チャネル信号に含まれる基地局を捕捉するか、または、任意の通信事業者の制御チャネル信号を識別して該制御チャネル信号に含まれる基地局を捕捉してそのＩＤを登録し、中継すべき基地局を自動的に決定することができ、設定メモリの設定情報を書き換えることなく、設置場所や配下となる通信事業者に対応でき、また、１地域に複数の通信事業者がサービスするシステム、１地域に特定の１通信事業者がサービスするシステムの何れにも対応することが可能になる。
【００２８】
請求項２に係る発明においては、特定の通信事業者または任意の通信事業者の制御チャネル信号を識別するための設定情報をマスクパターンおよび／または通信事業者コードとしたものであり、これに基づいて捕捉制御部が特定の通信事業者または任意の通信事業者の制御チャネル信号を識別して基地局を捕捉しそのＩＤを登録するものであるから、設定メモリの設定情報を書き換えることなく、設置場所や配下となる通信事業者に対応でき、また、１地域に複数の通信事業者がサービスするシステム、１地域に特定の１通信事業者がサービスするシステムの何れにも対応することが可能になる。
【００２９】
請求項３に係る発明においては、特定の通信事業者の制御チャネル信号を識別する場合、マスクパターンを全ビット「１」とし、該特定の通信事業者コードを設定情報とするものであるから、中継装置がスキャンした制御チャネル信号に含まれる通信事業者コードはそのまま受信され、設定した通信事業者コードと一致した制御チャネル信号のみを捕捉することができる。
【００３０】
請求項４に係る発明においては、任意の通信事業者の制御チャネル信号を識別する場合、マスクパターンを全ビット「０」とし、通信事業者コードを全ビット「０」として設定情報とするものであるから、中継装置がスキャンした制御チャネル信号に含まれる通信事業者コードは無視して受信され、受信する全ての制御チャネル信号が通信事業者コードによらず捕捉されるようになる。
【００３１】
請求項５に係る発明においては、スキャンのための設定情報はスキャンを開始する制御チャネル信号の周波数と、スキャン範囲を指定する情報またはスキャンを終了する制御チャネル信号の周波数としたものであるから、通信事業者毎に割り当てられた周波数が既知であれば、中継装置は、任意の通信事業者の制御チャネル信号をスキャンすることができ、設置場所などによって設定メモリの情報を書き換える手間を省くことができる。
【００３２】
請求項６に係る発明においては、スキャンした制御チャネル信号の受信レベルを判定するレベル判定部によって所定の条件を満足する受信レベルの基地局を捕捉するものであるから、受信レベルが最大、あるいは、一定のレベル以上の基地局を中継対象の基地局とすることができる。
【００３３】
請求項７に係る発明においては、請求項１の中継装置において、捕捉制御部にモード切替部を備え、設定メモリには特定の通信事業者コードを設定してなり、前記モード切替部によって設定メモリに設定された通信事業者コードに基づいて前記スキャンした制御チャネル情報から特定の１通信事業者の制御チャネル信号を識別して該制御チャネル信号に含まれる基地局を捕捉するか、または、任意の通信事業者の制御チャネル信号を識別して該制御チャネル信号に含まれる基地局を捕捉するかを切替るものであるから、設定メモリの設定情報を書き換えることなく、１地域に複数の通信事業者がサービスするシステム、１地域に特定の１通信事業者がサービスするシステムの何れにも対応することが可能になる。
【００３４】
請求項８に係る発明において、制御部は、受信器および送信器を時分割で、移動体通信基地局から移動体通信端末への信号の受信および送信と、移動体通信端末から移動体通信基地局への信号の受信および送信とを行うものであるから、中継装置を構成する回路要素を少なくすることができ、安価な中継装置を提供することができる。
【００３５】
請求項９に係る発明においては、下り（基地局から移動体通信端末へ）の信号、上り（移動体通信端末から基地局へ）の信号を送受信する回路をそれぞれに設けスイッチにより切り替える構成の中継装置であって、請求項１と同様の自動スキャンが可能であり、設定メモリの設定情報を書き換えることなく、１地域に複数の通信事業者がサービスするシステム、１地域に特定の１通信事業者がサービスするシステムの何れにも対応することが可能になる。
【発明を実施するための最良の形態】
【００３６】
以下、本発明の具体例を実施例及び図面を用いて詳細に説明する。図１は本発明の実施例１に係る移動体通信用の中継装置の構成を示すブロック図である。図２は図１における設定メモリの構成を示す模式図である。図３は図１における捕捉制御部の構成を示すブロック図である。図４は実施例１の中継装置の基地局捕捉手順を示すフローチャートである。図５は本発明の他の実施例に係る捕捉制御部の構成を示すブロック図である。図６は本発明の更に他の実施例に係る中継装置の構成を示すブロック図である。図７はＰＨＳの構成を示すシステム図であり、図８は従来の移動体通信システムの中継装置の１例を示すブロック図である。
【実施例１】
【００３７】
本発明の実施例１に係る中継装置２０は、図１に示すように、移動体通信端末（ＰＳ）３０と基地局（ＣＳ）４０との間の信号の送受信を制御する制御部２９を備えたものである。この中継装置２０は、基地局４０および／または移動体通信端末３０からの信号を受信する受信器２３と、基地局４０および／または移動体通信端末３０への信号を送信する送信器と２５、アンテナ２２と、基地局４０からの制御チャネル信号をスキャンするための設定情報と、所定の通信事業者の基地局からの制御チャネル信号を識別するための設定情報を記憶した設定メモリ２７と、制御チャネル信号に含まれる基地局ＩＤを捕捉するための捕捉制御部２９ａを有する制御部２９とから構成されている。
【００３８】
受信器２３と送信器２５はスイッチ２１に接続され、スイッチ２１の切替えにより時分割で基地局４０および／または移動体通信端末３０からの信号を受信し、また、基地局４０および／または移動体通信端末３０への信号を送信する。この中継装置２０は、特定の通信事業者の基地局と該通信事業者のサービスに加入したユーザーが持つ移動体通信端末との間で、基地局が送信する信号を移動体通信端末に、移動体通信端末の位置登録信号等の信号を基地局に中継するものである。
【００３９】
従って、通常このような中継装置が或るエリアに設置される際には、通信事業者が特定され、その通信事業者の基地局の配下で中継動作するように中継装置の初期設定がなされており、初期設定された通信事業者の受信可能な全ての基地局からのチャネル制御信号を受信し、受信したチャネル制御の受信レベルが一定の条件（通常は最も受信レベルの大きな制御チャネル信号）のものを捕捉して、中継装置２０自身が配下となるべき基地局を決定し、以後の中継動作はその基地局に対して行うようにされている。
【００４０】
この初期設定は、先に説明したように、中継装置の製造メーカーが出荷前に設定用のＥＰＲＯＭ、ＥＥＰＲＯＭなどの設定用メモリに、納入先通信事業者の通信事業者コードを書き込んだり、中継装置の販売代理店が中継装置購入者の指示に基づき書込み装置を用いて設定メモリに通信事業者コードを書込むものであった。
【００４１】
日本国内においては同一地域内に複数の通信事業者がサービスを行っているため中継装置がどの通信事業者のネットワークに組み込まれるものかを設定する必要性があるが、国によっては１地域に１通信事業者のサービスに制限されている場合がある。この場合は中継装置への通信事業者コードの書込みは必須の要素ではない。本実施例１の発明はこの点に着目して設定メモリ構成および基地局捕捉制御部の構成を何れの場合にも対応できるようにしたものである。
【００４２】
すなわち、実施例１における設定メモリ２７は書込み読出し可能な不揮発性メモリであり、ＥＥＰＲＯＭなどで構成されており、図２に示すように設定項目として「マスクパターン」、「通信事業者コード」、「スキャン開始周波数」、「スキャン範囲」などが設けられている。この設定に基づいて制御部２９および捕捉制御部２９ａが動作し、基地局からの制御チャネル信号をスキャンし、スキャンした制御チャネル信号に含まれる通信事業者コードを識別し、制御チャネル信号に含まれる基地局のＩＤを捕捉する。
【００４３】
すなわち、制御部２９は、設定メモリ２７に設定された「スキャン開始周波数」と「スキャン範囲」に基づいて順次周波数を変えながら制御チャネル信号を受信する。そして捕捉制御部２９ａは受信した制御チャネル信号の通信事業者コードを識別し、基地局のＩＤを捕捉する。図３にはこの捕捉制御部２９ａの構成を示しており、捕捉制御部２９ａはＡＮＤ回路２９１と比較回路２９２およびレベル判定部２９３からなる。
【００４４】
受信した制御チャネル信号の発識別符号（４２ビット）は図３に示すように、９ビットの通信事業者コードと３３ビットの屋外公衆用付加ＩＤを含んでいる。屋外公衆用付加ＩＤは一斉呼出エリア番号と付加ＩＤからなり、これが、各基地局のＩＤである。通信事業者コードは、ＡＮＤ回路２９１によりマスクパターンと論理演算され、ＡＮＤ回路２９１の出力が比較回路２９２に入力され、設定メモリ２７に設定した通信事業者コードと比較される。
【００４５】
このように設定メモリ２７の「マスクパターン」は受信した制御チャネル信号に含まれる通信事業者コード９ビットの全部または１部をマスクするためのものであり、特定の１通信事業者を特定する場合は全ビットをオール「１」にしておけば制御チャネル信号中の通信事業者コードがＡＮＤ回路２９１を通してそのまま検出でき、通信事業者を特定しない場合には全ビット「０」に設定し、且つ、「通信事業者コード」も全ビット「０」にしておけば、任意の全通信事業者のチャネル制御信号を識別することができる。そしてレベル判定部２９３は受信した制御チャネル信号の信号レベルを判定し、条件に合致したレベルの場合に制御チャネル信号に含まれる基地局を捕捉し、そのＩＤを登録メモリ２８に登録する。一般的には最も受信レベルの高い基地局を登録メモリ２８に登録する。
【００４６】
従って、日本国内のように同一地域に複数の通信事業者がサービスしているようなシステムに中継装置２０を設置する場合にはマスクパターンにオール１を設定し、かつ、通信事業者コードを設定しておけばよく、１地域に１通信事業者しかサービスしていないシステムにこの中継装置２０を設置する場合には、マスクパターン、通信事業者コードともオール０を設定しておけば、異なる地域（異なる通信事業者のサービスしているエリア）に設置する際にその都度通信事業者に応じた通信事業者コードを設定する必要がない。
【００４７】
なお、制御チャネル信号のスキャンのための設定情報は、各通信事業者に割り当てられた制御チャネル信号の周波数、あるいは、チャネル番号でよく、また、捕捉制御部２９ａで捕捉する基地局は受信レベルの最大の基地局だけでなく、中継装置で受信可能な受信レベルの基地局全てを捕捉して登録メモリ２８に登録しておき、通常の中継動作では受信レベルの最も高い基地局を優先し、その基地局に通話のための空きスロットがない場合には受信レベルの順に該当する基地局に通信リンク確立要求を送信するように構成することもできる。
【００４８】
次に、上記の制御チャネル信号の自動スキャンおよび基地局捕捉の手順について、図４のフローチャートに基づいて説明する。中継装置２０が設置され電源が投入されると、ステップＳ１１において制御部２９は設定メモリ２７からスキャン開始周波数（Ｎ）を読出し設定して、ステップＳ１２で制御チャネル信号のスキャンを開始する。そしてステップＳ１３で受信器２３により当該周波数の制御チャネル信号を受信して捕捉処理を行う。
【００４９】
この捕捉処理は先に述べた通り、受信した制御チャネル信号の通信事業者コードを、ＡＮＤ回路２９１によりマスクパターンと論理演算し、ＡＮＤ回路２９１の出力を比較回路２９２に入力し、設定メモリ２７に設定した通信事業者コードと比較するものである（図３参照）。制御チャネル信号の捕捉に成功するとステップＳ１７で条件にあった通信事業者の制御チャネル信号であるか識別し、また、受信レベルが所定のレベルであるか判定して所定の通信事業者、および受信レベルにある場合にはステップＳ１８で該制御チャネル信号に含まれる基地局のＩＤを登録メモリ２８に登録する。
【００５０】
例えば、特定の通信事業者の制御チャネル信号を識別する場合、マスクパターンのオール「１」と設定メモリに設定した通信事業者コードとによって当該通信事業者コードに合致する制御チャネル信号を識別し、その受信レベルが所定のレベル（例えば受信レベルが最大）である場合に、該制御チャネル信号に含まれる基地局を捕捉してそのＩＤを登録メモリ２８に登録する。一方、任意の通信事業者の制御チャネル信号を識別する場合、マスクパターンはオール「０」、設定通信事業者コードもオール「０」であり、制御チャネル信号は通信事業者コードによらず捕捉され、その受信レベルが所定のレベルであれば、該制御チャネル信号に含まれる基地局のＩＤを登録メモリ２８に登録する。
【００５１】
ステップＳ１３で制御チャネル信号の捕捉処理に失敗した場合、ステップＳ１４で制御チャネル信号の周波数（図３の設定メモリの例では制御チャネル番号）を１増加し、ステップＳ１５、Ｓ１６でスキャン範囲の上限と下限の範囲内かをチェックし、範囲内であればステップＳ１２に戻り、１増加した制御チャネル番号の信号のスキャンを行う。ステップＳ１５、ステップＳ１６でスキャンの範囲外であった場合にはステップＳ１１に戻りリトライする。
【００５２】
以上のようにして中継装置２０が設置された場所で、電源投入時に周辺の基地局から送信される制御チャネル信号をスキャンして、特定の１通信事業者または任意の通信事業者の制御チャネル信号を識別して、所定の受信レベルにある基地局を捕捉してそのＩＤを登録メモリ２８に登録することにより中継装置２０はどの基地局の配下で動作するかが決定され、以降の中継動作はその登録メモリ２８に登録された基地局との間で行われる。この中継動作は従来の中継装置の動作と同様であり、ここではその説明は省略する。
【実施例２】
【００５３】
捕捉制御部２９ａの構成は図３の実施例１に限るものではなく、例えば、図５に示す実施例２の構成とすることも可能である。図５において捕捉制御部２９ａの構成要素には図３と同じ要素は同じ参照番号を付してある。図５の実施例２においては捕捉制御部２９ａにはモード切替部２９４を備え、設定メモリ２７（図１参照）には特定の１通信事業者を識別する通信事業者コードを設定しておくものとする。
【００５４】
設定した特定の通信事業者の制御チャネル信号を識別する場合、モード切替部２９４は比較回路２９２を能動化（イネーブル）するモード信号を発生しており、受信器２３で受信した制御チャネル信号の通信事業者コードと設定メモリ２７に設定した通信事業者コードとが比較回路２９２において比較され、レベル判定部２９３で所定の受信レベルであると判定されれば、該制御チャネル信号に含まれる基地局のＩＤが捕捉されて登録メモリ２８に登録される。
【００５５】
一方、任意の通信事業者の制御チャネル信号を捕捉する場合には、モード切替部２９４は比較回路を不動作（ディスエーブル）するモード信号を発生しており、レベル判定部２９３で所定の受信レベルであると判定されれば、通信事業者コードによらずその制御チャネル信号に含まれる基地局が捕捉され、そのＩＤが登録メモリ２８に登録される。
【実施例３】
【００５６】
また、中継装置２０の構成は図１の実施例１の構成に限られるものでなく、他の構成であってもよい。図６は中継装置２０の他の構成を示す本発明に係る実施例３の中継装置２０のブロック図である。図６の実施例３において実施例１（図１）との相違は、基地局４０用のアンテナ２２ａと移動体通信端末用のアンテナ２２ｂを備え、送信器および受信器が下り（基地局から移動体通信端末への通信）用の受信器２３ａ、送信器２５ａと、上り（移動体通信端末から基地局への通信）用の受信器２３ｂ、送信器２５ｂとに分離しており、上りと下りはスイッチ２１ａと２１ｂにより切替える構成となっている点である。その他の構成、動作は実施例１と同様であるため説明は省略する。
【図面の簡単な説明】
【００５７】
【図１】図１は、本発明の実施例１に係る移動体通信用の中継装置の構成を示すブロック図である。
【図２】図２は、図１における設定メモリの構成を示す模式図である。
【図３】図３は、図１における捕捉制御部の構成を示すブロック図である。
【図４】図４は、実施例１の中継装置の基地局捕捉手順を示すフローチャートである。
【図５】図５は、本発明の他の実施例に係る捕捉制御部の構成を示すブロック図である。
【図６】図６は、本発明の更に他の実施例に係る中継装置の構成を示すブロック図である。
【図７】図７は、一般的なＰＨＳの構成を示すシステム図である。
【図８】図８は、従来の移動体通信システム用中継装置の構成を示すブロック図である。
【符号の説明】
【００５８】
２０    ・・・中継装置
３０    ・・・移動体通信端末
４０    ・・・基地局
２１    ・・・スイッチ
２２    ・・・アンテナ
２３    ・・・受信器
２５    ・・・送信器
２７    ・・・設定メモリ
２９    ・・・登録メモリ
２９ａ  ・・・捕捉制御部
【図１】
2005079944.tif 000003
【図２】
2005079944.tif 000004
【図３】
2005079944.tif 000005
【図４】
2005079944.tif 000006
【図５】
2005079944.tif 000007
【図６】
2005079944.tif 000008
【図７】
2005079944.tif 000009
【図８】
2005079944.tif 000010